(57)【要約】【課題】  録画した番組をユーザ個々が再生してテレビジョン受像機を用いて視聴するときに、ユーザ個々を認識し、各ユーザ毎に録画番組を自動的に再生することができる情報処理装置を提供する。【解決手段】  ブックマーク情報処理部２０は、人物識別処理部１０の個人識別処理部１３で認識したユーザＩＤ情報Inf-Uと、記録再生部３０の記録再生処理部３３から渡される番組情報Inf-Pとを用いて各ユーザ毎にブックマーク情報を対応付けしたり、ブックマーク情報の追加／更新を行ったり、ブックマーク情報等に基づいてユーザの未視聴番組メニュー等を生成する。【選択図】  図１
2006174291.tif 000002
【特許請求の範囲】
【請求項１】
映像及び音響信号からなる番組を内蔵及び／又は着脱自在なメディアに記録すると共に再生して表示装置に表示する記録再生手段と、
上記メディアに記録された番組を再生して視聴しているユーザを認識し、ユーザ個々を識別する識別処理手段と、
上記識別処理手段にて識別されたユーザの識別情報と、上記記録再生手段にて得られた番組情報とを用いて各ユーザ毎にブックマーク情報を対応付けし、この各ユーザ毎に対応付けしたブックマーク情報を保持し、かつ各ユーザ毎に対応付けしたブックマーク情報を用いて上記記録再生手段における番組再生を制御するブックマーク情報処理手段と
を備えることを特徴とする情報処理装置。
【請求項２】
上記ブックマーク情報処理手段は、上記ユーザの識別情報と上記番組情報を用いて各ユーザ毎にブックマーク情報を対応付けするブックマーク情報対応付け処理手段と、上記ブックマーク情報対応付け処理手段からの各ユーザ毎に対応付けられたブックマーク情報を保持するブックマーク情報保持手段とを備えることを特徴とする請求項１記載の情報処理装置。
【請求項３】
上記ブックマーク情報処理手段は、上記ユーザの識別情報に、番組識別情報、視聴済み時間もしくは視聴済み時間の区間を対応付けして、保持することを特徴とする請求項１記載の情報処理装置。
【請求項４】
上記ブックマーク情報処理手段は、上記ユーザの識別情報に対応付けする、番組識別情報に、番組名、番組データの長さ情報を加えることを特徴とする請求項３記載の情報処理装置。
【請求項５】
上記ブックマーク情報処理手段は、上記ユーザの識別情報に対応付けする、番組識別情報に、さらに、メディア識別情報、メディアの所在情報、メディア上の番組データ格納アドレスのポインタを加えることを特徴とする請求項４記載の情報処理装置。
【請求項６】
上記ブックマーク情報処理手段は、上記識別処理手段の識別結果に基づいて上記ブックマーク情報を追加／更新することを特徴とする請求項１記載の情報処理装置。
【請求項７】
上記ブックマーク情報処理手段は、上記表示装置の前にユーザを識別できないという上記識別処理手段の識別結果に基づいて上記視聴済み時間若しくは視聴済み時間の区間を更新することを特徴とする請求項３記載の情報処理装置。
【請求項８】
上記ブックマーク情報処理手段は、上記表示装置の前に現在視聴中のユーザとは異なる他のユーザがいることを上記識別処理手段が識別したとき上記他のユーザの上記視聴済み時間若しくは視聴済み時間の区間を更新することを特徴とする請求項３記載の情報処理装置。
【請求項９】
上記ブックマーク情報処理手段は、上記表示装置の前にいるユーザが上記表示装置の電源スイッチを切ったとき、又はチャンネルを変えたときに上記視聴済み時間若しくは視聴済み時間の区間を更新することを特徴とする請求項３記載の情報処理装置。
【請求項１０】
上記ブックマーク情報処理手段は、上記表示装置の前にいるユーザが未視聴の番組を既視聴と登録したとき、上記視聴済み時間若しくは視聴済み時間の区間を更新し、番組を見終わったと記録することを特徴とする請求項３記載の情報処理装置。
【請求項１１】
上記ブックマーク情報処理手段は、上記識別処理手段がユーザを識別すると、当該ユーザの個人録画番組進捗表を上記記録再生手段を介して上記表示装置に表示することを特徴とする請求項１記載の情報処理装置。
【請求項１２】
上記ブックマーク情報処理手段は、上記識別処理手段が２名以上のユーザを識別すると、当該複数のユーザに共通する録画番組進捗表を上記記録再生手段を介して上記表示装置に表示することを特徴とする請求項１記載の情報処理装置。
【請求項１３】
上記ブックマーク情報処理手段は、複数のユーザが共通に録画した番組を、全てのユーザが見終わったのを確認すると、上記共通に録画した番組を消去できることを上記記録再生手段を介して上記表示装置に表示することを特徴とする請求項１記載の情報処理装置。
【請求項１４】
映像及び音響信号からなる番組を内蔵及び／又は着脱自在なメディアに記録すると共に再生して表示装置に表示する記録再生工程と、
上記メディアに記録された番組を再生して視聴しているユーザを認識し、ユーザ個々を識別する識別処理工程と、
上記識別処理工程にて識別されたユーザの識別情報と、上記記録再生工程にて得られた番組情報とを用いて各ユーザ毎にブックマーク情報を対応付けし、この各ユーザ毎に対応付けしたブックマーク情報を保持し、かつ各ユーザ毎に対応付けしたブックマーク情報を用いて上記記録再生工程における番組再生を制御するブックマーク情報処理工程と
を備えることを特徴とする情報処理方法。
【発明の詳細な説明】
【技術分野】
【０００１】
本発明は、映像及び音響信号のような情報を内蔵及び又は着脱自在な記録媒体に記録すると共に再生する情報処理装置及び情報処理方法に関する。
【背景技術】
【０００２】
ビデオ記録再生装置（レコーダ）にあっては、現在、ハードディスクを記録媒体（ビデオメディア）として用い、テレビジョン放送等の番組を録画し蓄積することが行われている。ハードディスクの記録容量は、８０ＧＢ〜２５０ＧＢというように光ディスクに比べると非常に大きいので、空き容量を気にすくことなく、気軽に録画ができる。例えば、２５０ＧＢの記録容量のハードディスクであれば、最大で約３２５時間（ＳＬＰモード）にわたり録画が可能である。
【０００３】
再生の場合には、録画した番組を、例えば再生タイトル画面に一覧表示させ、その中から見たい番組をユーザにリモートコントロール装置を使って選ばせ、再生を始める。
【０００４】
また、従来、ビデオメディアとしてハードディスク、光ディスク、あるいはビデオテープなどを用いているビデオレコーダでは、特に家族などの複数人で共有して使用している場合、録画したい番組が重複することがある。その際は、個人個人において個別に番組データをビデオメディアに録画するのではなく、ビデオメディアを効率的に使うために、ひとつのビデオメディアに１回だけ録画するのが一般的である。
【０００５】
特に、繰り返し録画可能なビデオメディアの場合、見終わった番組は消去をしたいが、その際に問題となるのが、その番組を見たい人全員がすでに見終わっているかどうかということである。
【０００６】
上記の問題を解決するに当たり、従来は、以下の３つの方法が考えられた。（１）個人個人個別に、人数分録画する。（２）共有しているメンバーに消去してよいか直接確認する。（３）リモコンのボタン入力などの手法で、見終わった人が情報入力する。
【０００７】
しかし、（１）の方法のように、人数分同じ番組を録画するのは、録画メディアの有効利用の点からは効率が悪い。また、（２）の方法のように、ビデオレコーダを共有しているメンバー全員に確認するには時間がかかることがある。また、（３）の方法のように、リモコンのボタン入力などの手法は煩わしいものである。
【０００８】
また、番組の再生を中断した場合、中断した個所から再生が出来るものも有るが、他の人が再生をしてしまうと前の利用者の再生途中から再生が始まってしまったりする。ユーザ個別に再生個所を選択できるものでも、リモコンのボタン入力が煩わしいものである。
【０００９】
そこで、ビデオレコーダで録画した番組をユーザ個々が再生してテレビジョン受像機を用いて視聴するときに、ユーザ個々を認識し、各ユーザ毎に録画番組を自動的に再生し、テレビジョン受像機に表示する等の動作が望まれる。
【００１０】
下記特許文献１には、テレビジョン受像機の視聴可能範囲を該テレビジョン受像機の近傍に設置した距離センサで定期的に走査し、前記距離センサの出力および前記視聴可能範囲に視聴者が存在しない状態において事前に測定しておいた前記距離センサの出力に基づき、前記視聴可能範囲内における視聴者の有無を監視するようにしたテレビジョン受像機の視聴監視方法が記載されている。
【００１１】
また、下記特許文献１には、従来技術として、テレビジョン受像機の視聴可能範囲を二次元イメージセンサで撮像して得た画像を画像認識処理して視聴者の有無等を監視する方法が下記特許文献２等を参照して記載されている。
【００１２】
【特許文献１】特開平６−０８４０３２号公報
【特許文献２】特開平２−１２０９８７号公報
【発明の開示】
【発明が解決しようとする課題】
【００１３】
ところで、上記特許文献１、特許文献２は、テレビジョン受像機を視聴している者を、精度良く監視することを目的とし、それを達成するための構成を開示しているだけであり、ビデオレコーダで録画した番組をユーザ個々が再生してテレビジョン受像機を用いて視聴するときに、ユーザ個々を認識し、各ユーザ毎に録画番組を自動的に再生し、テレビジョン受像機に表示する等の動作を行うための構成を開示しているものではない。また、そのようなユーザ個々に応じた再生を行うための構成を示唆する記載もない。
【００１４】
本発明は、上記実情に鑑みてなされたものであり、録画した番組をユーザ個々が再生してテレビジョン受像機を用いて視聴するときに、ユーザ個々を認識し、各ユーザ毎に録画番組を自動的に再生することができる情報処理装置及び情報処理方法の提供を目的とする。
【課題を解決するための手段】
【００１５】
本発明に係る情報処理装置は、上記課題を解決するために、映像及び音響信号からなる番組を内蔵及び／又は着脱自在なメディアに記録すると共に再生して表示装置に表示する記録再生手段と、上記メディアに記録された番組を再生して視聴しているユーザを認識し、ユーザ個々を識別する識別処理手段と、上記識別処理手段にて識別されたユーザの識別情報と、上記記録再生手段にて得られた番組情報とを用いて各ユーザ毎にブックマーク情報を対応付けし、この各ユーザ毎に対応付けしたブックマーク情報を保持し、かつ各ユーザ毎に対応付けしたブックマーク情報を用いて上記記録再生手段における番組再生を制御するブックマーク情報処理手段とを備える。
【００１６】
ブックマーク情報処理手段は、ユーザの識別情報と、番組情報とを用いて各ユーザ毎にブックマーク情報を対応付けし、この各ユーザ毎に対応付けしたブックマーク情報を保持し、かつ各ユーザ毎に対応付けしたブックマーク情報を用いて番組再生を制御する。
【００１７】
本発明に係る情報処理方法は、上記課題を解決するために、映像及び音響信号からなる番組を内蔵及び／又は着脱自在なメディアに記録すると共に再生して表示装置に表示する記録再生工程と、上記メディアに記録された番組を再生して視聴しているユーザを認識し、ユーザ個々を識別する識別処理工程と、上記識別処理工程にて識別されたユーザの識別情報と、上記記録再生工程にて得られた番組情報とを用いて各ユーザ毎にブックマーク情報を対応付けし、この各ユーザ毎に対応付けしたブックマーク情報を保持し、かつ各ユーザ毎に対応付けしたブックマーク情報を用いて上記記録再生工程における番組再生を制御するブックマーク情報処理工程とを備える。
【００１８】
ブックマーク情報処理工程は、ユーザの識別情報と、番組情報とを用いて各ユーザ毎にブックマーク情報を対応付けし、この各ユーザ毎に対応付けしたブックマーク情報を保持し、かつ各ユーザ毎に対応付けしたブックマーク情報を用いて番組再生を制御する。
【発明の効果】
【００１９】
本発明に係る情報処理装置及び情報処理方法によれば、ブックマーク情報処理手段及び工程が、ユーザの識別情報と、番組情報とを用いて各ユーザ毎にブックマーク情報を対応付けし、この各ユーザ毎に対応付けしたブックマーク情報を保持し、かつ各ユーザ毎に対応付けしたブックマーク情報を用いて番組再生を制御するので、録画した番組をユーザ個々が再生してテレビジョン受像機を用いて視聴するときに、ユーザ個々を認識し、各ユーザ毎に録画番組を自動的に再生することができる。
【００２０】
このため、本発明を用いれば、煩わしいリモコン操作を必要とすることなく、各ユーザの録画番組視聴状況の提示と、視聴状況の情報更新が行われる。また、テレビジョン受像機の前に座るだけで、ユーザは未視聴の番組メニューから番組を選択することが出来る。また、リムーバルメディアの場合、収納場所も示してくれるので、ユーザはメディアを探す手間が省ける。
また、２名以上のユーザに対して、共通して見ていない番組を提示することで、一緒に録画番組を楽しむことができるようになる。また、ユーザのうちで、途中まで見た番組がある場合でも、そこまで番組の再生が進んだらそのユーザを呼び寄せることで、すでに見た番組の部分を見ることなく、まだ見ていない部分のみを一緒に見ることが出来るようになる。また、再録画可能なメディアの場合、録画番組を見たい人全員が見終わったら、録画番組を消去することができることを提示するため、録画メディアを効率的に使用することが出来るようになる。
【発明を実施するための最良の形態】
【００２１】
以下、本発明を実施するための最良の形態を説明する。この実施の形態は、ハードディスク又は光ディスクをメディアとし、オーディオビデオ（Audio Video：ＡＶ）からなる情報信号を記録再生する記録再生装置である。特に、この記録再生装置は、ビデオオーディオからなる番組再生中にその番組を見ている人物を識別し、誰がどの番組を、どこまで視聴したかという情報を保持し、この情報を使ってユーザ（複数のユーザを含めて）毎に録画された番組の再生処理を制御することができる。
【００２２】
図１は記録再生装置の構成図である。記録再生装置は、ビデオを見ている人物１を識別する人物識別処理部１０と、誰がどの番組をどこまで視聴したかという情報を処理するブックマーク情報処理部２０と、ユーザによる操作に応じてテレビジョン放送の番組を記録再生する記録再生部３０とを備えている。
【００２３】
人物識別処理部１０は、例えばレンズを通した被写体画像をＣＣＤ等の撮像デバイスに投射し、電気信号である撮像信号に変換して画像を入力する画像入力部の具体例であるカメラ１１と、カメラ１１からの撮像信号に基づいて番組を見ているユーザの顔を認識する顔認識処理部１２と、顔認識処理部１２にて認識した顔情報に応じて個人個人を識別し、識別した結果から得られるユーザ識別（ＩＤ）情報を生成する個人識別処理部１３とによって構成されている。カメラ１１は、記録再生装置の筐体の一部であって、テレビジョン受像機３４に表示される番組を見ようとしているユーザの顔を撮像できるところに配置される。もちろん、カメラ１１のみをテレビジョン受像機３４の近傍、又はテレビジョン受像機３４に配置してもよい。
【００２４】
このため、人物識別処理部１０は、画像入力部の具体例であるカメラ１１から得られる画像から、後述の記録再生部３０のテレビジョン受像機３４を見ているユーザがいるかいないか、もしいたらどのユーザかを認識することができ、その識別結果であるユーザＩＤ情報ＩＤをブックマーク情報処理部２０に供給することができる。もちろん、人物識別処理部１０は、カメラ１１以外でも個人識別を行うことが出来るデバイスであれば、カメラの代わりにそのデバイスを用いることができる。人物識別処理部１０を構成する顔認識処理部１２についての具体例については後述する。
【００２５】
記録再生部３０は、リモートコントローラ２を操作するユーザ１の再生・録画コマンドを受信するリモコン受信部３１と、リモコン受信部３１によって受信されたユーザの再生・録画コマンドに基づいて再生・録画処理のための制御信号を生成し、後述の記録再生処理部３３等に送る記録再生制御部３２と、記録再生制御部３２によって生成されて送られてきた上記再生・録画処理のための制御信号に応じて指定されたチャンネルの番組を再生してテレビジョン受像機３４に表示したり、番組のビデオオーディオ信号を内蔵のハードディスクや或いはリムーバブルである光ディスク等のメディアに録画する記録再生処理部３３と、テレビジョン受像機のモニタ（以下、単にテレビジョン受像機という）３４と、スピーカ３５とを備える。記録再生処理部３３は、内蔵のハードディスクや或いはリムーバブルな光ディスク等のメディアをドライブするメディアドライブ部３６を備える。記録再生部３０は、テレビジョン放送をチャンネルを選択して受信することができるチューナ装置を備えている。また、テレビジョン受像機３４が備えているチューナ装置を利用して、テレビジョン放送をチャンネルを選択して受信してもよい。
【００２６】
このため、記録再生部３０は、リモコン２からのユーザ１の録画・再生コマンドを受け、指定されたチャンネルの番組のビデオ及びオーディオ信号を記録再生処理部３３のメディアドライブ部３６が内蔵するハードディスク等に録画したり、指定されたチャンネルの番組をハードディスク等のメディアから再生し、再生したビデオ信号に基づいた画像をテレビジョン受像機３４に表示すると共に再生したオーディオ信号に基づいた音声、音楽などをスピーカ３５から出力する。また、記録再生処理部３３は、番組を識別するための番組情報Inf-Pを生成してブックマーク情報処理部２０に供給する。
【００２７】
番組情報Inf-Pは、各番組名や再生時間長さなどに関する情報である。記録再生部３０の具体例については後述する。また、番組情報Inf-Pの詳細についても後述する。
【００２８】
ブックマーク情報処理部２０は、人物識別処理部１０の個人識別処理部１３で認識したユーザＩＤ情報Inf-Uと、記録再生部３０の記録再生処理部３３から渡される番組情報Inf-Pとを用いて各ユーザ毎にブックマーク情報を対応付けしたり、後述するようにブックマーク情報の追加／更新を行ったり、ブックマーク情報等に基づいてユーザの未視聴番組メニュー等を生成するブックマーク情報対応付け処理部２１と、ブックマーク情報対応付け処理部２１にて生成された各ユーザ毎のブックマーク情報を書き換え可能な例えばＲＡＭに保持するブックマーク情報保持部２２とを備える。
【００２９】
ブックマーク情報は、録画予約をした番組ＩＤ、視聴済み時間、もしくは、視聴済み時間の区間（番組の途中だけを見た場合）、総番組時間からなる。このブックマーク情報は各個人に対応付けられ、組としてブックマーク情報保持部に格納される。ブックマーク情報の詳細については後述する。
【００３０】
以下、要部の構成、動作について詳細に説明する。先ず、人物識別処理部１０の顔認識処理部１２の詳細について説明する。顔認識処理部１２は、本件出願人による特開２００３−２７１９５８号公報に開示された画像処理方法を適用している。この画像処理方法は、入力された画像から顔画像を検出し、この顔画像から顔特徴情報を検出し、この顔画像及び顔特徴情報からなる個人顔データの分布をガウス分布近似することにより顔認識する画像入力方法であり、複数の個人の顔から予め学習した学習データベースに格納された、個人顔データ分布の共分散行列が全ての個人顔に共通であると仮定して予め求めた共通共分散行列及び各個人の複数の顔画像ベクトルを平均して予め求めた登録済平均顔画像ベクトルから確率密度分布を求めて顔認識する顔認識工程を有する。
【００３１】
図２は、上記画像処理方法を適用した顔認識処理部１２の具体例を示す図である。図２に示すように、顔認識処理部１２は、上記カメラ１１からの画像信号をデジタル信号に変換して入力する画像入力部１２０と、画像入力部１２０のデジタル画像信号から顔画像を検出する顔検出部１２１と、顔検出部１２１からの顔画像情報が入力され、顔画像情報から顔特徴情報を検出する顔特徴検出部１２２と、顔画像情報及び顔特徴情報が入力され、これらの個人顔データの分布をガウス分布近似することにより顔認識する顔認識部１２３と、顔認識部１２３の結果を出力する認識結果部１２４とから構成される。また、この顔認識処理部１２は、複数の個人顔から予め学習した学習データベース（図示せず）を有し、顔検出部１２１、顔特徴検出部１２２及び顔認識部１２３は、学習データベースのデータを必要に応じて取り出して処理を行うものである。
【００３２】
学習データベースは、個人顔データ分布の共分散行列が全ての個人顔に共通であると仮定して予め求めた共通共分散行列Σ、同一個人の複数の顔画像ベクトルを平均した平均顔画像ベクトル（登録済平均顔画像ベクトル）及び学習した顔画像の枚数情報等を有し、顔認識部１２３は、この共通共分散行列Σ及び登録済顔画像ベクトルを使用して確率密度分布を求め、顔を認識するものである。
【００３３】
以下、顔認識処理部１２の具体的動作について説明する。
【００３４】
画像入力部１２０は、カメラ１１からの撮像信号をデジタル変換し、顔検出部１２１へ入力する。顔検出部１００３では、デジタル変換された画像内に含まれる顔画像の領域を抽出し、抽出された顔画像領域を顔特徴検出部１２２に入力する。顔特徴検出部１２２は、顔画像領域に含まれる眼、鼻、及び口等の顔特徴位置を検出し、この顔特徴位置を、顔検出部１２１で検出された顔画像と共に顔認識部１２３へ供給する。顔認識部１２３は、入力画像内の顔が学習データベース中の顔と同一人物のものである確率密度を計算する。認識結果部１２４は、顔認識部１２３の計算結果を認識結果として出力する。
【００３５】
図３は、顔検出部１２１を示すブロック図である。図３に示すように、顔検出部１２１は、画像切り出し部１２１１と顔判断部１２１２とを有する。先ず、画像入力部１２０より画像切り出し部１２１１に画像１２０１が入力される。画像切り出し部１２１１は、入力画像１２０１の全部又は一部の領域をラスタ走査し、入力画像１２０１から顔が含まれていると想定される様々な大きさの画像を切り出し、切り出した切出画像データを顔判断部１２１２に入力する。顔判断部１２１２は、顔学習データベース１１９に接続されており、この顔学習データベース１１９の顔学習データを使用し、切り取られた画像が顔であるか否かの判断を行う。切り取られた画像が顔であると判断された場合は、その顔画像又は顔領域情報（以下、顔画像１２１３という。）を顔特徴検出部１２２へ出力する。顔判断部１２１２の判断方法としては、相関法に基づくテンプレートマッチング法、ＰＣＡ、及びＳＶＭ（Support Vector Machine）法等を使用した方法等がある。
【００３６】
図４は顔特徴検出部１２２を示すブロック図である。図４に示すように、顔特徴検出部１２２は、画像切り出し部１２２１と、顔特徴判断部１２２２とを有する。顔検出部１２１から顔画像１２１３が入力されると、顔特徴検出部１２２の画像切り出し部１２２１は、顔検出部１２１の画像切り出し部１２１１と同様に、入力された顔画像１２１３の全部又は一部の領域をラスタ走査し、眼、鼻及び耳等の顔特徴が含まれると想定される様々な大きさの画像を切り出し、切り出した画像を顔特徴判断部１２２２に入力する。顔特徴判断部１２２２は、学習データベース１１９に接続されており、この学習データベース１１９の顔学習データを使用して、切り出した画像が顔特徴であるか否かを判断する。切り出した画像が顔特徴であると判断した場合は、その顔特徴位置等の顔特徴情報１２２３を検査結果として出力する。この顔特徴判断部１２２の判断方法においても、顔検出部１２１の顔判断部１２１２と同様な方法、即ち相関法に基づくテンプレートマッチング法、ＰＣＡ法、及びＳＶＭ法等を使用することができる。
【００３７】
図５は顔認識部１２３を示すブロック図である。図５に示すように、顔認識部１２３は、顔検出部１２１からの顔画像１２１３及び顔特徴検出部１２２からの顔特徴情報１２２３の各データが入力される顔画像アライメント部１２３１と、コントラスト正規化部１２３２と、確率推定部１２３３と、顔認識部１２３４とを有する。
【００３８】
画像アライメント部１２３１には、顔検出部１２１及び顔特徴検出部１２２から夫々顔画像１２１３及び顔特徴情報１２２３が入力される。画像アライメント部１２３１は、顔特徴位置が、予め決められた所定の基準位置となるようにアフィン変換等のモーフィング処理を行う。モーフィング処理されたデータは、コントラスト正規化部１２３２に入力される。コントラスト正規化部１２３２は、モーフィング処理後の顔画像の照明条件等を一定にするため、コントラストを調整する。コントラスト調整が行われた顔画像（顔画像ベクトル）は確率推定部１２３３に入力される。
【００３９】
確率推定部１２３３は、学習データベース１１９に接続されており、学習データベース１１９の登録済み顔と、コントラスト調整が行われた顔画像とのマッチングを行い、同一人物である確率を推定する。即ち、この確率推定部１２３３は、入力された顔画像ベクトル並びに学習データベース１１９に登録されている共通共分散行列Σ及び平均登録顔ベクトル等のデータに基づいて、入力顔画像ベクトルが登録済個人である確率を求める。この推定結果は、認識結果部１２３４に出力される。認識結果部１２３４は、登録された人物の中から入力顔と同一である可能性が最も高い人物を出力する。この際、同一である可能性が最も高い人物は、上述した確率が最も高い人物とすることもできるが、確率推定部１２３３の推定結果の時系列情報等を分析して、同一である可能性が最も高い人物を出力するようにすると、更に認識精度が向上する。
【００４０】
このように顔認識処理部１２は、共分散行列を全ての個人顔に共通であるとした共通共分散行列を使用してガウス分布近似することにより、データ量を飛躍的に低減することができ、これにより、リアルタイムの顔認識を可能にすることができる。また、従来において、個人顔の顔の登録データが１枚の顔画像であるのに対し、複数枚の顔画像の平均顔を登録データとしているため、従来においては登録時の顔が不鮮明であったり、表情及び照明環境が標準的でない場合には認識率が低下したりしたが、この顔認識処理部１２においては、登録データとして平均顔画像ベクトルを用いることにより、顔認識の精度を飛躍的に高めることができる。
【００４１】
個人認識処理部１３は、顔認識処理部１２にて認識した顔情報に応じて個人個人を識別し、識別した結果から得られるユーザ識別ＩＤ情報Inf-Uを生成する。
【００４２】
次に、記録再生部３０の詳細について図６を参照して説明する。この記録再生部３０は、メディアドライブ部３６を含み、ハードディスク３６１または光ディスク３６２に対して、ＡＶ（Ａｕｄｉｏ  Ｖｉｄｅｏ）信号などのコンテンツ情報を記録、または、再生する。メディアドライブ３６で上記メディアに記録されるＡＶ信号、または、メディアドライブ部３６から再生されたＡＶ信号は、テレビジョン受像機３４とスピーカ３５に出力される。ユーザは、記録、または、再生しているＡＶ信号のうちのどちらをテレビジョン受像機３４とスピーカ３５に出力するか、リモコン受信部３１を介してリモートコントローラ２により指定する。
【００４３】
記録再生制御部３２は、リモコン受信部３１から入力されるユーザの操作に対応するコマンドに基づいて、記録再生部３０の各部を制御する。記録再生制御部３２は、例えば、内部に有する発振部３２１において、固定された周波数のマスタークロックを生成し、分周部３２２、および、分周部３２３に供給する。分周部３２２で、所定の分周比で分周され、生成されたクロック（ハードディスク３６１の記録または再生に用いられるクロック）は、記録再生処理部３３として枠で囲ってあるブロック内のサンプリングレートコンバータ３３１、Ａ／Ｄコンバータ３３２、エンコーダ３３３、およびクロック選択部３３４に供給される。また、分周部３２３で、マスタークロックを所定の分周比で分周することで生成されたクロック（光ディスク３６２の記録または再生に用いられるクロック）は、同じく記録再生処理部３３内のデコーダ３３５とクロック選択部３３４に供給される。
【００４４】
例えば、ｉ．ＬＩＮＫ（商標）を介して伝送されてきたデジタルＡＶ信号、あるいは、デジタルＢＳ（Broadcasting Satellite）／ＣＳ（Communications Satellite）チューナ（図示せず）により受信され、出力されたデジタルＡＶ信号は、コーデック３３６に入力される。コーデック３３６は、入力されたデジタルＡＶ（Audio Video）信号のうちビデオ信号の圧縮を解除し（伸長し）、ＮＴＳＣデコーダ３３７に出力する。
【００４５】
サンプリングレートコンバータ３３１は、入力されたデジタルＡＶ信号のうちのデジタルオーディオ信号のサンプリングレートを異なるサンプリングレートに変換し、切換部３３８に出力する。
【００４６】
選択部３３９は、図示せぬアナログチューナからの入力、またはアナログライン入力の一方をユーザからの操作に基づき選択し、そのうちのアナログビデオ信号をＮＴＳＣデコーダ３３７に出力し、アナログオーディオ信号をＡ／Ｄコンバータ３３２に出力する。
【００４７】
Ａ／Ｄコンバータ３３２は、入力されたアナログオーディオ信号をＡ／Ｄ変換し、切換部３３８に出力する。
【００４８】
切換部３３８は、サンプリングレートコンバータ３３１より入力されたデジタルオーディオ信号と、Ａ／Ｄコンバータ３３２より入力されたデジタルオーディオ信号のいずれか一方を、ユーザの指示に基づき選択する。
【００４９】
ＮＴＳＣデコーダ３３７は、コーデック３３６より入力されたデジタルビデオ信号、または選択部３３９より入力されたアナログビデオ信号を、ＮＴＳＣ方式のデジタルビデオ信号に変換し、切換部３３８より出力されたデジタルオーディオ信号と合成し、出力する。
【００５０】
合成されたデジタルＡＶ信号は、エンコーダ３３３に入力され、所定の方式でエンコードされた後、メディアドライブ部３６に供給され、例えばハードディスク３６１に記録される。
【００５１】
合成されたデジタルＡＶ信号のうち、デジタルビデオ信号は、ビデオ信号処理部３４０に供給される。ビデオ信号処理部３４０にはまた、メディアドライブ部３６により、ハードディスク３６１または光ディスク３６２より再生され、デコーダ３３５よりデコードされたデジタルＡＶ信号のうちのデジタルビデオ信号も供給される。
【００５２】
ビデオ信号処理部３４０は、ＮＴＳＣデコーダ３３７とデコーダ３３５より供給されたデジタルビデオ信号を１枚のフレームの画像として合成し、ＮＴＳＣエンコーダ３４１に供給する。ＮＴＳＣエンコーダ３４１は、入力されたデジタルビデオ信号をＮＴＳＣ方式のビデオ信号にエンコードし、テレビジョン受像機３４に出力する。
【００５３】
Ｄ／Ａコンバータ３４２は、ＮＴＳＣデコーダ３３７より出力されたデジタルＡＶ信号のうちのデジタルオーディオ信号、またはデコーダ３３５より出力されたデジタルＡＶ信号のうちのデジタルオーディオ信号のうちの一方をＤ／Ａ変換し、スピーカ３５に出力する。
【００５４】
制御部２には、ドライブ３７が必要に応じて接続される。ドライブ３７には、磁気ディスク３７１（フレキシブルディスクを含む）、光ディスク３７２（ＣＤ−ＲＯＭ（Compact Disk-Read Only Memory），ＤＶＤ（Digital Versatile Disk）を含む）、光磁気ディスク３７３（ＭＤ（Mini-Disk）を含む）、または、半導体メモリ３７４が必要に応じて装着され、データの授受を行うようになされている。
【００５５】
この記録再生部３０は、記録再生処理部３３内のメディアドライブ部３６にて番組を、ハードディスク３６１に記録する際、番組を識別するための番組情報Inf-Pを生成してブックマーク情報処理部２０に供給する。
【００５６】
番組情報Inf-Pは、各番組のＩＤと、番組名と、番組データの長さ情報、或いは番組再生時間や、番組データの格納場所（格納ポインタ）等から構成される。「番組データの格納場所（格納ポインタ）」とは、例えばハードディスク３６１に番組を録画する場合は、ハードディスク上のアドレスを、リムーバブルディスクメディアに録画する場合は、ディスクＩＤとディスク上のアドレスを表す。
【００５７】
次に、ブックマーク情報処理部２０の動作について詳細に説明する。前述したように、ブックマーク情報対応付け処理部２１は、人物識別処理部１０の個人識別処理部１３で認識されたユーザＩＤ情報Inf-Uと、記録再生部３０の記録再生処理部３３から渡された番組情報Inf-Pとを対応付けて各ユーザ毎のブックマーク情報を生成する。また、ブックマーク情報保持部２２は、ブックマーク情報対応付け処理部２１にて生成された各ユーザ毎のブックマーク情報を書き換え可能な例えばＲＡＭに保持する。
【００５８】
図７はブックマーク保持部２２に保持されるブックマーク情報の具体例を示す図である。この具体例では、ユーザはＡ、Ｂ、Ｃの３名が登録されている。ユーザＩＤ情報Inf-Uには、ユーザが自分の名前やニックネームを登録できる。以下では説明のため、ユーザＡ、ユーザＢ、ユーザＣとする。言い換えると、ユーザＡ、ユーザＢ、ユーザＣは、人物識別処理部１０で識別されたユーザＩＤ情報Inf-Uの具体例である。
【００５９】
番組は、１〜８のＩＤのものがあるが、ここではＩＤ１、４、６、７、８の番組が残っている。ＩＤ２、３、５の番組は、録画されていなかったか、すでに視聴が終わって消去されている状態である。また、ＤＶＤの映画が、Ｉ、ＩＩという番組ＩＤで登録されている。
【００６０】
各ユーザＩＤのブックマークには、録画予約をした番組ＩＤやＤＶＤ映画のＩＤ（総称で「番組ＩＤ」と呼ぶ）、視聴済み時間、総番組時間の組で情報が集められている。
【００６１】
図７に示したブックマーク情報から以下のことが判る。例えば、ユーザＡは番組ＩＤ「４」の番組をまだ見ていないことが判る。これは、視聴済み時間／総番組時間が（0:00/2:00)であることから判断できる。同様に、ユーザＡは番組ＩＤ「７」の番組をまだ見ていない（0:00/1:00)。また、ユーザＡは番組ＩＤ「８」の番組６０分の内を４５分間だけ見ている（0:45/1:00)。また、ユーザＡは番組ＩＤ「Ｉ」、「ＩＩ」のＤＶＤ映画をどちらもまだ見ていない。
【００６２】
また、ユーザＢも番組ＩＤ「４」の番組をまだ見ていないことが判る。同様に、ユーザＢは番組ＩＤ「６」の番組をまだ見ていない。また、ユーザＢは番組ＩＤ「Ｉ」のＤＶＤ映画を見終わっている（2:30/2:30)。しかし、番組ＩＤ「ＩＩ」のＤＶＤ映画はまだ見ていない。
【００６３】
また、ユーザＣは番組ＩＤ「１」の番組を1:00だけ見たことが判る。同様に、ユーザＣは番組ＩＤ「６」の番組を１５分だけ見ている。また、ユーザＣは番組ＩＤ「８」の番組を見終わっている。また、ユーザＣは番組ＩＤ「Ｉ」のＤＶＤ映画を見終わっている（2:30/2:30）。しかし、番組ＩＤ「ＩＩ」のＤＶＤ映画はまだ見ていない。
【００６４】
さらに、図７からユーザＡとユーザＢは共に番組ＩＤ「４」の番組を共にまだ見ていないことが判る。また、ユーザＢとユーザＣは、番組ＩＤ「６」の番組を録画したが、ユーザＣのみが１５分だけ見て、ユーザＢは未だ見ていないことが判る。また、ユーザＡとユーザＣは、番組ＩＤ「８」の番組を録画し、ユーザＣはそれを見終わったが、ユーザＡは１５分だけ残していることが判る。また、ユーザＡ、ユーザＢ、ユーザＣの内、ユーザＡだけが、番組ＩＤ「Ｉ」のＤＶＤ映画をまだ見ていないことが判る。また、ユーザＡ、ユーザＢ、ユーザＣは、番組ＩＤ「ＩＩ」のＤＶＤ映画を見終わっていることが判る。
【００６５】
なお、「視聴済み時間」の代わりに「視聴済み時間の区間」をブックマーク情報に入れるようにしてもよい。番組の途中の区間を見た場合に、適用することが出来る。
【００６６】
また、ブックマーク情報保持部２２は、人物識別処理部１０の個人識別処理部１３で認識されたユーザＩＤ情報Inf-Uと、記録再生部３０の記録再生処理部３３から渡された番組情報Inf-Pを対応付けて保持する際、番組ＩＤと番組情報、メディア情報の対応情報を保持してもよい。つまり、図７で使用されている番組ＩＤを、番組名、メディアＩＤ、メディアの所在情報、メディア上の番組データ格納アドレスのポインタ、番組データの長さ情報と対応させて保持する。特に、メディアＩＤ、メディアの所在情報、メディア上の番組データ格納アドレスのポインタ、番組データの長さからなる情報メディア情報を保持することによって、リムーバブルメディア等の各種メディアに対応することが出来る。
【００６７】
図８には、番組ＩＤと番組名（情報）、メディア情報の対応情報の例を示す。図７に示した番組ＩＤ「１」、「４」、「６」、「７」、「８」、「Ｉ」、「ＩＩ」に対応している。メディアＩＤとメディアの所在はユーザがメディアを選定するときの補助情報として、番組データへのポインタと番組データの長さは、番組の再生・消去時とブックマーク情報の更新時にシステムが必要とする情報である。
【００６８】
番組ＩＤの「１」〜「４」はリムーバブルディスクであるＤＶＤ−Ｒに録画した番組を表す。また、番組ＩＤの「５」〜「８」はハードディスク上に録画した番組を表す。また、番組ＩＤ「Ｉ」、「ＩＩ」はＤＶＤの映画コンテンツを表す。
【００６９】
番組ＩＤ「１」は番組名「歴史道」で、メディアＩＤ「ＤＶＤ−Ｒ−１」に録画され、その所在は「棚１」であり、番組データへのポインタは「０ｘ００００００００」であり、番組データの長さは「１：００」時間である。 番組ＩＤ「４」は番組名「音楽会２１」で、メディアＩＤ「ＤＶＤ−Ｒ−２」に録画され、その所在は「棚２」であり、番組データへのポインタは「０ｘ０８０ＡＤ６Ｂ９」であり、番組データの長さは「２：００」時間である。
【００７０】
番組ＩＤ「６」は番組名「朝いちニュース」で、メディアＩＤ「ＨＤ」に録画され、その所在は「本体内蔵」であり、番組データへのポインタは「０ｘ２０Ｃ０Ｄ６０７」であり、番組データの長さは「０：３０」時間である。 番組ＩＤ「７」は番組名「毎日クッキング」で、メディアＩＤ「ＨＤ」に録画され、その所在は「本体内蔵」であり、番組データへのポインタは「０ｘ４Ａ５０Ｄ９２３」であり、番組データの長さは「１：００」時間である。 番組ＩＤ「８」は番組名「ＴＶクリニック」で、メディアＩＤ「ＨＤ」に録画され、その所在は「本体内蔵」であり、番組データへのポインタは「０ｘ７Ｂ２６２Ｃ９８」であり、番組データの長さは「１：００」時間である。
【００７１】
番組ＩＤ「Ｉ」は番組名「ジャイアントコング」で、メディアＩＤ「ＤＶＤ−１」に記録され、その所在は「棚２」であり、番組データへのポインタは「０ｘ００００００００」であり、番組データの長さは「２：３０」時間である。 番組ＩＤ「ＩＩ」は番組名「スターファイターズ」で、メディアＩＤ「ＤＶＤ−２」に記録され、その所在は「棚２」であり、番組データへのポインタは「０ｘ００００００００」であり、番組データの長さは「２：１５」時間である。
【００７２】
この情報を用いることで、記録再生装置は、例えばユーザが番組ＩＤ「４」の再生を指定した場合、図９に示すように、「棚２のＤＶＤ−Ｒ−２をセットしてください」とテレビジョン受像機３４の画面に表示し、ユーザにメディアのセットを要求することが出来る。
【００７３】
また、ブックマーク情報処理部２０は、ブックマーク情報の追加／更新をユーザの再生操作や、人物識別処理部１０からの識別結果に応じて行う。詳細には、記録再生装置は、下記のタイミングで再生を停止して、ブックマーク情報中の視聴済み時間をアップデートする。例えば、テレビジョン受像機の前からユーザが立ち去るなどの理由で、人物識別処理部１０が顔認識がなされない状態を検知した場合、番組再生中に、他のユーザがテレビジョン受像機の視聴に参加してきたことが人物識別処理部１０により認識された場合、ユーザがテレビジョン受像機のスイッチを切ったときや、チャンネルを変えたとき、ユーザが未視聴の番組を、既視聴と登録したとき（ブックマーク情報には、番組を見終わったと記録する）等のタイミングである。このブックマーク情報の追加／更新の処理手順については図１０を参照して後述する。
【００７４】
次に、ブックマーク情報を使った記録再生装置の処理手順について説明する。ブックマーク情報を使った動作としては以下に示すような動作がある。ユーザがテレビジョン受像機の前に座ったら、録画した番組と見ている途中のリスト（個人録画番組進捗表）を出す。ユーザは見たい番組もしくは見たい番組区間を選択できる。２名以上がテレビジョン受像機の前にいたら、一緒にテレビジョン受像機を見られるように、共通して見ていない番組もしくは共通してみていない番組区間を提示する。ユーザＡさんが見ているところまでユーザＢさんが見たら、ＢさんにＡさんと一緒に見れることを提示する。再録画可能なメディアの場合、録画番組を見たい人全員が見終わったら、録画番組を消去することができることを提示する。
【００７５】
図１０は、ブックマーク情報を使った記録再生装置の処理手順を示すフローチャートである。また、ブックマーク情報の追加／更新の処理手順についても示している。
【００７６】
先ず、記録再生装置の電源がオンとされた後、人物識別処理部１０はカメラ１１、顔認識処理部１２及び個人識別処理部１３を用い、カメラ１１で得られた画像からテレビジョン受像機３４の前に１名以上のユーザがいて、ユーザを認識しているか否かを判定する（ステップＳ１）。
【００７７】
ステップＳ１の判定にてユーザを認識した場合（ＹＥＳ）、ブックマーク情報処理部２０は、ステップＳ１にて認識されたユーザのブックマーク情報より、視聴メニューをテレビジョン受像機３４に表示する。２名以上のユーザが認識されたら、２名以上のユーザに共通したメニューを表示する（ステップＳ２）。
【００７８】
このステップＳ２にあって、ブックマーク情報処理部２０のブックマーク情報対応付け処理部２１は、例えば、図７に示したブックマーク情報と図８に示した番組情報より、ユーザの未視聴番組メニューを検索し、その未視聴番組メニューを記録再生部３０を介してテレビジョン受像機３４に表示する。ユーザは、未視聴番組メニューからリモコン２を使って視聴したい番組を選択することができる。
【００７９】
図１１は、記録再生部３０を介してブックマーク情報処理部２０によりテレビジョン受像機３４に表示されたユーザＡの未視聴番組メニューを示す選択画面図である。番組名「音楽会２１」が「０：００／２：００」、「毎日クッキング」が「０：００／１：００」、「ＴＶクリニック」が「０：４５／１：００」、「ジャイアントコング」が「０：００／２：３０」、「スターファイターズ」が「０：００／２：１５」だけ視聴済み（つまり、視聴済み時間が総番組時間に達していない時間だけ未視聴）であることが判る。
【００８０】
ステップＳ２にて、人物識別処理部１０が２名以上のユーザを認識していた場合、ブックマーク情報処理部２０は、２名以上のユーザに共通した未視聴番組メニューを記録再生部３０を介してテレビジョン受像機３４に表示する。複数ユーザに共通した未視聴番組メニューとは、例えば図７におけるユーザＡとユーザＢの場合、ブックマーク情報に共通している番組ＩＤは、「４」、「ＩＩ」である。
【００８１】
図１２は、人物識別処理部１０がユーザＡとユーザＢを認識した場合に、ブックマーク情報処理部２０が記録再生部３０を介してテレビジョン受像機３４に表示する複数ユーザのための未視聴番組メニューである。ユーザＡとユーザＢが未視聴であるのは、上述した番組ＩＤ「４」の「音楽会２１」、番組ＩＤ「ＩＩ」の「スターファイターズ」であることを表示している。
【００８２】
上記ステップＳ２にてブックマーク情報処理部２０が記録再生部３０を介してテレビジョン受像機３４に表示したユーザ（若しくは複数ユーザ）のための未視聴番組メニューを基に、ユーザ（若しくは複数ユーザ）がリモコンを用いて番組もしくは番組区間を選択することができる（ステップＳ３）。他のユーザと一緒に見たいときは、そのユーザＩＤを指定することができる。
【００８３】
例えば、ユーザＢとユーザＣがいる場合では、図７に示すように、共通して未視聴な番組は「６」、「ＩＩ」であるが、番組「６」に関してはユーザＣがすでに１５分見ていることになっている。この場合、ユーザＢとユーザＣが番組「６」を見たい場合は、ユーザ達は１５分経過後にユーザＣを後から呼び寄せるかどうかの選択をすることが出来る。
【００８４】
図１３はその際にテレビジョン受像機３４に記録再生部３０を介して表示するメッセージ例を示す。メッセージは、「ユーザＣは、番組６をすでに１５分見ています。この番組の１５分経過したときに、ユーザＣを呼び出すことができます。１５分後にメッセージを表示しますか？」と訊ね、「表示します」又は「表示しません」という選択肢を挙げている。ここでは、ユーザＣ及びユーザＢによって「表示します」がユーザによって選択されている。
【００８５】
次に、記録再生部３０は、上記ステップＳ３にてユーザにより選択された番組を再生する（ステップＳ４）。この番組再生中でも、人物識別処理部１０は、ユーザの認識を行っている。そして、ステップＳ５にあってユーザを認識しているかという判定を行っている。テレビジョン受像機３４の前にユーザが残っている（ＹＥＳ）のであれば番組再生を続ける。テレビジョン受像機３４の前に複数のユーザがいた状態から例えば一人のユーザがいなくなった場合、ブックマーク情報処理部２０は、いなくなったユーザのブックマーク情報中の視聴時間情報をアップデートする（ステップＳ９）。テレビジョン受像機３４の前にユーザが一人でも残っている（ＹＥＳ）のであれば番組再生を続けるが、１名もいなくなった場合にはステップＳ９に進み、番組再生を終了して、ブックマーク情報をアップデートする。
【００８６】
一方、ステップＳ６にて人物識別処理部１０が新しいユーザがいる（ＹＥＳ）と判定した場合は、ステップＳ２に戻り、複数ユーザに共通した未視聴番組メニューを表示し、一緒に見ることのできる番組の選択を出来るようにする。ここで、新しいユーザのための番組メニューを表示せずに、その新しいユーザのブックマーク情報中の「番組視聴区間情報」をアップデートする方式をとっても良い。
【００８７】
ステップＳ６にて新しいユーザはいない（ＮＯ）と判定されたなら、番組再生を続ける。ステップＳ７では、上記ステップＳ３にて指定したユーザの見ている時間まで再生されたか否かを判定する。
【００８８】
例えば、ステップＳ３にて指定したユーザ（ここではユーザＣ）の視聴した時間（１５分）まで番組が再生されたとステップＳ７にて判定した（ＹＥＳ）ならば、その時点でユーザＢはユーザＣと一緒に番組を見られるようになる。ここでシステムは番組再生を一時停止し、ユーザＣを呼ぶことが出来るメッセージを表示する。
【００８９】
図１４は、ユーザＣを呼ぶことが出来るメッセージの具体例を表示している。「この番組は１５分再生しました。今からユーザＣを呼ぶと、一緒に番組を見ることができます。」と案内している。これは、上記ステップＳ３にて図１３を参照して説明したように、「メッセージを表示する」が選択されたのに対応している。ここで、ＯＫを選択してからステップＳ８にて、指定されたユーザ（ここではユーザＣ）をユーザＢが呼ぶと、ユーザＣはすでに見た番組の部分を見ることなく、まだ見ていない部分のみをユーザＢと一緒に見ることが出来る。
【００９０】
上記ステップＳ５〜ステップＳ８の処理を繰り返しながら番組を再生していき、ステップＳ９にて番組の終了を判定する（ＹＥＳ）と、ステップＳ１０にて番組再生を終了し、番組を視聴したユーザの「番組視聴時間」をアップデートする。
【００９１】
この際に、ステップＳ１１にて、その番組についてブックマーク情報に登録されているユーザすべてが見終わったか否かを判定する。全員が見終わった番組があると判定（ＹＥＳ）したのであれば、記録再生装置はステップＳ１２にてメッセージを表示し、ユーザにその番組を消去するか否かを選択させる。
【００９２】
図１５には、番組の消去を確認するメッセージの具体例を示す。「この番組を録画予約したユーザは全員、この番組を見終わっています。この番組を消去しますか。」と訊ね、「消去しません」又は「消去します」を選択肢として挙げている。これにより、全員が見た番組をメディア上から消去することが出来、録画メディアを効率的に使用することが出来るようになる。
【００９３】
以上に説明したように、本実施の形態の記録再生装置によれば、煩わしいリモコン操作を必要とすることなく、各ユーザの録画番組視聴状況の提示と、視聴状況の情報更新が行われる。また、テレビジョン受像器の前に座るだけで、ユーザは未視聴の番組メニューから番組を選択することが出来る。また、リムーバルメディアの場合、収納場所も示してくれるので、ユーザはメディアを探す手間が省ける。また、２名以上のユーザに対して、共通して見ていない番組を提示することで、一緒に録画番組を楽しむことができるようになる。また、ユーザのうちで、途中まで見た番組がある場合でも、そこまで番組の再生が進んだらそのユーザを呼び寄せることで、すでに見た番組の部分を見ることなく、まだ見ていない部分のみを一緒に見ることが出来るようになる。また、再録画可能なメディアの場合、録画番組を見たい人全員が見終わったら、録画番組を消去することができることを提示するため、録画メディアを効率的に使用することが出来るようになる。
【図面の簡単な説明】
【００９４】
【図１】記録再生装置の構成図である。
【図２】顔認識処理部のブロック図である。
【図３】顔検出部のブロック図である。
【図４】顔特徴検出部のブロック図である。
【図５】顔認識部のブロック図である。
【図６】記録再生部のブロック図である。
【図７】ブックマーク情報を示す図である。
【図８】番組ＩＤと番組情報、メディア情報の対応情報を示す図である。
【図９】リムーバブルディスクメディアに収録されている番組をユーザが選択した場合の表示画面を示す図である。
【図１０】ブックマーク情報を使った記録再生装置の処理手順を示すフローチャートである。
【図１１】ユーザＡのみのときの再生番組の選択画面を示す図である。
【図１２】ユーザＡとユーザＢのときの再生番組の選択画面を示す図である。
【図１３】ユーザＣを呼び出すメッセージを出すか否かの選択画面を示す図である。
【図１４】ユーザＣを呼び出すメッセージから１５分経過後のメッセージの画面を示す図である。
【図１５】番組を消去することができることを示すメッセージの画面を示す図である。
【符号の説明】
【００９５】
１０  人物識別処理部、１１  カメラ、１２  顔認識処理部、１３  個人識別処理部、２０  ブックマーク情報処理部、２１  ブックマーク情報対応付け処理部、２２  ブックマーク情報保持部、３０  記録再生部、３１  リモコン受信部、３２  記録再生制御部、３３  記録再生処理部、３４  テレビジョン受像機、３５  スピーカ、３６  メディアドライブ部
【図１】
2006174291.tif 000003
【図２】
2006174291.tif 000004
【図３】
2006174291.tif 000005
【図４】
2006174291.tif 000006
【図５】
2006174291.tif 000007
【図６】
2006174291.tif 000008
【図７】
2006174291.tif 000009
【図８】
2006174291.tif 000010
【図９】
2006174291.tif 000011
【図１０】
2006174291.tif 000012
【図１１】
2006174291.tif 000013
【図１２】
2006174291.tif 000014
【図１３】
2006174291.tif 000015
【図１４】
2006174291.tif 000016
【図１５】
2006174291.tif 000017